(57)【特許請求の範囲】
【請求項１】
映像データがコピーされる第１のコピー先記録媒体から残容量を読み込む残容量読み込み手段と、
一つ若しくは複数のシーンからなる映像データが記録されたコピー元記録媒体から前記第１のコピー先記録媒体へコピーするシーンデータの容量を読み込むシーンデータ容量読み込み手段と、
前記第１のコピー先記録媒体の残容量が、前記第１のコピー先記録媒体にコピーする前記シーンデータの容量より小さい場合、
前記シーンデータのうち前記第１のコピー先記録媒体にコピー可能な部分の再生時間が所定時間以下のときは、前記シーンデータを前記第１のコピー先記録媒体にはコピーせず、第二のコピー先記録媒体にコピーし、
前記シーンデータのうち前記第１のコピー先記録媒体にコピー可能な部分の再生時間が前記所定時間より大きいときは、前記シーンデータを前記第１のコピー先記録媒体に部分的にコピーした後、前記第２のコピー先記記録媒体に続きのシーンデータをコピーする、制御手段と、
を備える電子機器。
【発明の詳細な説明】
【技術分野】
【０００１】
本発明は、記録媒体に記録された映像データを他の記録媒体にコピーする為の電子機器に関するものである。
【背景技術】
【０００２】
映像データを記録する記録媒体としては、ＳＤメモリーカードのような半導体記録メモリーやＤＶＤ、ＢＤのような光ディスクやビデオカセットのような磁気記録媒体等が存在する。また、映像データを記録する記録装置としては、ＨＤＤ等が存在する。これらの記録媒体や記録装置の記録容量は数ＭＢ（メガバイト）のものから数ＴＢ（テラバイト）のものまで多岐に渡る。従って、大容量の記録媒体等に記録された大容量映像データを小容量の記録媒体等にコピーする場合等において、コピー元の映像データの全てをコピー先の記録媒体等にコピーできない場合がある。
【０００３】
そこで、このようなコピーを行う際に、コピー元の映像データをコピー先の記録媒体等に記録できるように自動で分割し、大容量の記録媒体等から複数の小容量の記録媒体等へのコピーを自動で実現するという技術が存在する（例えば特許文献１参照）。このような映像データのコピーは、コピー先の記録媒体等の残容量が許す限り行われ、コピー先の記録媒体等の残容量がゼロになった段階で、映像データのどこまでをコピーしたかという情報をコピー元の記録媒体に記録し、当該情報を元に、未だコピーされていない残りの映像データを検知し、当該部分を分割して他の記録媒体等にコピーするということが行われている。
【０００４】
これにより、ユーザーが映像データの分割について特に意識することなく、コピー先の記録媒体等の空き容量よりも容量が大きな映像データを複数のコピー先の記録媒体にコピーすることができる電子機器を提供することができる。
【特許文献１】特開２００５−１８２８６４号公報
【発明の開示】
【発明が解決しようとする課題】
【０００５】
しかしながら、上記技術によると、コピー元の映像データは、コピー先の記録媒体等の残容量に収まるか否かのみを基準に分割されるため、映像データのシーン等を考慮した場合に、分割された映像データがシーンの中途半端な部分で切れてしまう場合があるという問題があった。ここでシーンとは、例えば撮像装置で撮影された映像データであれば、撮影時に録画開始釦が押されてから、次に録画停止釦が押されるまでの間の映像データのような一連の意味の繋がりを有するデータのことである。例えば、撮像装置で撮影した映像データを撮像装置に装着しているＳＤメモリーカードに記録する場合を考えると、録画開始釦を押し、所定時間の撮影後に録画停止釦を押し、次に録画開始釦を押し、所定時間の撮影後に録画停止釦を押したとすると、撮像装置に装着されたＳＤメモリーカードに記録されている映像データは２シーンを有していることとなる。
【０００６】
本発明は、上記問題点を解決するもので、大容量の記録媒体等から複数の小容量の記録媒体等への映像データのコピー等を行う際に、映像データのシーンの中途半端な部分での映像データの分割を防止することができるコピー機能付電子機器を提供することを目的とする。
【課題を解決するための手段】
【０００７】
この目的を達成するために本発明による電子機器は、映像データがコピーされるコピー先記録媒体から残容量を読み込む残容量読み込み手段と、一つ若しくは複数のシーンからなる映像データが記録されたコピー元記録媒体から前記コピー先記録媒体へコピーするシーンデータの容量を読み込むシーンデータ容量読み込み手段と、前記残容量が前記シーン容量より小さい場合に、前記シーンデータのうち前記コピー先記録媒体にコピー可能な部分の再生時間が所定時間以下である場合には、前記シーンデータを第二のコピー先記録媒体にコピーする制御手段と、を備えることを特徴とする。
【発明の効果】
【０００８】
本発明により、大容量の記録媒体等から複数の小容量の記録媒体等への映像データのコピー等を行う際に、映像データのシーンの中途半端な部分での映像データの分割を防止することができるコピー機能付電子機器を提供することができる。
【発明を実施するための最良の形態】
【０００９】
本発明の電子機器は、映像データがコピーされるコピー先記録媒体から残容量を読み込む残容量読み込み手段と、一つ若しくは複数のシーンからなる映像データが記録されたコピー元記録媒体から前記コピー先記録媒体へコピーするシーンデータの容量を読み込むシーンデータ容量読み込み手段と、前記残容量が前記シーン容量より小さい場合に、前記シーンデータのうち前記コピー先記録媒体にコピー可能な部分の再生時間が所定時間以下である場合には、前記シーンデータを第二のコピー先記録媒体にコピーする制御手段と、を備える。この構成により、大容量の記録媒体等から複数の小容量の記録媒体等への映像データのコピー等を行う際に、映像データのシーンの中途半端な部分での映像データの分割を防止することができる。
【００１０】
以下、本発明の最良の一実施形態について説明する。
（実施例１）
まず、本発明の実施例１の撮像装置の構成の概要を説明し、次に記録媒体上の映像音声データの管理方法について説明し、次に記録媒体上の残容量の管理方法について説明し、次に本発明の実施例１の撮像装置の構成のうち、コピー機能に関する構成のみを詳しく説明し、最後に本発明の実施例１の記録媒体間のコピーの流れについて説明する。
【００１１】
図1は本発明の実施例１の撮像装置の構成を示すブロック図である。撮像装置１は、撮像素子部２、集音部３、光学制御部４、映像変換処理部５、音声変換処理部６、圧縮／伸張処理部７、表示出力部８、ユーザーインターフェース部９、制御部１０、第一記録媒体装着部１１、第二記録媒体装着部１２を有する。
【００１２】
撮像素子部２は、駆動可能な光学レンズ群とＣＣＤ等の撮像素子とから構成され、光学レンズ群を通して入射した光信号をＣＣＤ等の撮像素子で電気信号に変換し、当該電気信号を映像変換処理部５へと出力する。
【００１３】
集音部３は、複数のマイクロホン素子から構成され、集音した音波振動を電気信号に変換し、当該電気信号を音声変換処理部６へと出力する。
【００１４】
光学制御部４は、撮像素子部２の光学レンズ群等の駆動を制御する。
【００１５】
映像変換処理部５は、撮像素子部２から入力されたアナログ電気信号をデジタル映像信号に変換し、圧縮／伸張処理部７へと出力する。
【００１６】
音声変換処理部６は、集音部３から入力されたアナログ電気信号をデジタル音声信号に変換し、圧縮／伸張処理部７へと出力する。
【００１７】
圧縮／伸張処理部７は、映像変換処理部５から入力されたデジタル映像信号及び、音声変換処理部６から入力されたデジタル音声信号を圧縮し、圧縮済みの映像音声信号（以後、単に映像音声信号という。）を生成し、当該映像音声信号を制御部１０へと出力する。また、圧縮／伸張処理部７は、制御部１０から入力された、映像音声信号を伸張し、表示出力部８へと出力する。
【００１８】
表示出力部８は、圧縮／伸張処理部７から入力されたデジタル映像信号を画面表示し、圧縮／伸張処理部７から入力されたデジタル音声信号を音声出力する。例えば、画面表示としては液晶画面へのデジタル映像信号の表示が該当し、音声出力としてはスピーカーへの音声信号の出力が該当する。
【００１９】
ユーザーインターフェース部９は、リモコン、本体キー、ＧＵＩ画面等からの撮像装置１の操作（録画開始、録画停止、ズームアップ、静止画撮影、記録済動画再生等）に関するユーザーからの入力を受け付け、当該入力情報を制御部１０へと出力する。
【００２０】
制御部１０は、ユーザーインターフェース部９からのユーザーの撮像装置１の操作に関する入力に従い、光学制御部４、映像変換処理部５、音声変換処理部６、圧縮／伸張処理部７、表示出力部８、第一記録媒体装着部１１、第二記録媒体装着部１２の動作を制御し、ユーザーの入力に応じた撮像装置の動作を実現する。また、制御部１０は、圧縮・伸張処理部７から入力された映像音声信号を第一記録媒体装着部１１に装着された第一記録媒体若しくは、第二記録媒体装着部１２に装着された第二記録媒体に記録する。また、制御部１０は、第一記録媒体装着部１１に装着された第一記録媒体若しくは、第二記録媒体装着部に装着された第二記録媒体から入力された映像音声信号を他方の記録媒体若しくは、圧縮・伸張処理部７へと出力する。
【００２１】
例えば、ユーザーインターフェース部９から録画準備入力がされたとすると、制御部１０は、光学制御部４に対して被写体に対するレンズ群の焦点を自動で合わせるように指示する。さらに、ユーザーインターフェース部９から録画開始入力がされると、制御部１０は、映像変換処理部５に対して撮像素子部２から入力されたアナログ電気信号をデジタル映像信号に変換するように指示し、音声変換処理部６に対して集音部３から入力されたアナログ電気信号をデジタル音声信号に変換するように指示し、圧縮／伸張処理部に対して映像変換処理部５から入力されたデジタル映像信号及び、音声変換処理部６から入力されたデジタル音声信号を圧縮し映像音声信号を生成するように指示し、当該映像音声信号の第一記録媒体若しくは第二記録媒体への記録を開始する。これにより録画が開始される。また、ユーザーインターフェース部９から記録済動画再生入力がされたとすると、制御部１０は、第一記録媒体若しくは第二記録媒体から映像音声信号を読み出し、当該映像音声信号を圧縮／伸張処理部７へと出力し、圧縮／伸張処理部７に対して当該映像音声信号を伸張し、表示出力部８に出力するよう指示し、表示出力部８に対して当該圧縮／伸張処理部７から入力されたデジタル映像信号を画面出力し、音声信号を音声出力するように指示する。これにより、記録済動画再生が開始される。
【００２２】
制御部１０による第一記録媒体、第二記録媒体間のコピー制御ついての詳細は後述する。
【００２３】
なお、本実施例では第一記録媒体をＳＤメモリーカードとし、第二記録媒体をＤＶＤとするが、第一記録媒体、第二記録媒体共にＳＤメモリーカードの様な半導体記録メモリーであっても、ＤＶＤ、ＢＤ等の光ディスクであっても、ビデオカセットの様な磁気記録媒体であっても、ＨＤＤのような記録装置であってもよい。
【００２４】
図２は本発明の実施例１の第一記録媒体上の映像音声データの管理方法について説明する図である。図３は本発明の実施例１の第一記録媒体上の映像音声データと第一記録媒体上のインデックスデータとの関係について説明する図である。図１、図２、図３を用いて本発明の実施例１の第一記録媒体上の映像音声データの管理方法を説明する。
【００２５】
ユーザーインターフェース部９から録画開始３０の入力がされた際に、映像音声信号の第一記録媒体若しくは第二記録媒体への録画が開始される。録画開始に伴い、映像音声データＳＡ１が継続的に記録媒体へと録画されていく。次に、ユーザーインターフェース部９から録画停止３１の入力がされた際に、映像音声データＳＡ１の第一記録媒体若しくは第二記録媒体への録画が停止される。さらにユーザーインターフェース部９から録画開始３２の入力がされた際に、映像音声信号の第一記録媒体若しくは第二記録媒体への録画が開始される。録画開始に伴い、映像音声データＳＡ２が継続的に記録媒体へと録画されていく。次に、ユーザーインターフェース部９から録画停止３２の入力がされた際に、映像音声データＳＡ２の第一記録媒体若しくは第二記録媒体への録画が停止される。録画停止３１から録画開始３２までの間については、記録媒体への映像音声データの記録は行われない。
【００２６】
本実施例では、録画開始から録画停止までの間に、記録媒体へ保存された映像音声データをシーンと定義している。映像音声データを記録媒体上に保存する際には、シーン情報も同時に作成される。シーン情報は、１シーンに対して１つ設けられ、それぞれ同一の記録媒体上に保存される。シーン情報には、保存済み映像音声データを等倍速再生した場合の総再生時間情報、保存済み映像音声データの記録媒体上での消費容量情報、保存済み映像音声データの所定再生時間ごとのデータの参照位置を管理するインデックステーブル情報が含まれる。それぞれのシーン情報は、全体シーン管理によって関連付けられている。全体シーン管理は、同一記録媒体上に一つだけ存在する。
【００２７】
図２の例では、シーンＳＡ１、シーンＳＡ２が記録媒体上に保存されており、それぞれのシーンに対してシーン情報ＳＢ１、シーン情報ＳＢ２が設けられている。シーン情報ＳＢ１には、保存済み映像音声データＳＡ１を等倍速再生した場合の総再生時間情報ＴＡ１、保存済み映像音声データＳＡ１の記録媒体上での消費容量情報ＣＡ１、保存済み映像音声データの所定再生時間ごとのデータの参照位置を管理するインデックステーブル情報ＩＤＴ１が含まれる。シーン情報ＳＢ１とシーン情報ＳＢ２とは、全体シーン管理ＳＣ１によって関連付けられている。
【００２８】
図３を用いて、インデックステーブル情報と、保存済み映像音声データとの関係について説明する。インデックステーブル情報ＩＤＴ１には、映像音声データの一定再生時間毎（例えば０．５秒単位）にふられたインデックスが管理されている。インデックスには、一定再生時間に対応する映像音声データの参照箇所情報が管理されている。図３においては、インデックスＩＤ１１、ＩＤ１２、ＩＤ１３に、参照箇所情報Ｐ１１、Ｐ１２、Ｐ１３が管理されている。参照箇所情報は、一定再生時間毎の情報が、保存済み映像音声データのどこに存在するかを示すものであり、保存済み映像音声データの先頭からの消費容量で示される。
【００２９】
全体シーン管理、シーン情報を利用することにより、映像音声データの特定位置に対応する再生時間情報を得ることが出来る。例えば、図２におけるシーン１の半分の容量の時点での再生時間を得る場合を考える。まず、全体シーン管理ＳＣ９０を参照する。今回はシーン１の半分の容量の時点での再生時間を得たいので、シーン情報ＳＢ１を参照する。次に、シーン情報ＳＢ１のインデックステーブルＩＤＴ１（図３）を参照し、Ｐ１１，Ｐ１２・・・と参照していき、シーン１の半分の容量に最も近いインデックスを検出し、当該インデックスが何秒目にあたるかを参照することにより、シーン１の半分の容量の時点での再生時間を得ることができる。
【００３０】
また、全体シーン管理、シーン情報を利用することにより、任意の再生時間に対応する映像音声データ上の参照位置を得ることができる。例えば、図２におけるシーン１の再生時間１．０秒目の映像音声データにおける参照位置を得る場合を考える。まず、全体シーン管理ＳＣ９０を参照する。今回はシーン１の再生時間１．０秒目の映像音声データにおける参照位置を得たいので、シーン情報ＳＢ１を参照する。次にシーン情報ＳＢ１のインデックステーブルＩＤＴ１（図３）のうち１．０秒目にあたるインデックスＩＤ１３を参照し、参照箇所情報Ｐ１３を得ることにより、シーン１の再生時間１．０秒目の映像音声データにおける参照位置を得ることができる。
【００３１】
シーン情報及び全体シーン管理の記憶領域の消費量は極めて小さいため、シーン情報及び全体シーン管理を用いても記憶容量コストがほとんどかからず、効率的なシーン管理が可能となる。
【００３２】
図４は記録媒体上の残量管理手法を説明するための図である。本実施例では、第二記録媒体を、一般的なライトワンス型ＤＶＤディスクとする。ライトワンス型ＤＶＤディスクでは、記録媒体上に書込不可領域と書込可能領域が存在する。書込不可領域には記録媒体の不変特性を示す情報が記載されており、書込可能領域には、映像音声データをはじめとする各種データを保存することができる。書込不可領域には、最終領域情報ＬＡ１が保存されている。最終領域情報ＬＡ１は、記録媒体の全体容量を決定するものである。書込可能領域は、さらに最終書込記憶格納領域ＥＡ０と映像音声データ/シーン情報/全体シーン格納領域ＥＡ１に分類される。最終書込記憶格納領域ＥＡ０は、一定のサイズで複数の区画ＬＷ１，ＬＷ２・・・に区切られる。映像音声データ/シーン情報/全体シーン格納領域ＥＡ１は、内周方向から外周方向へ一意に書込されていく。
【００３３】
図４の例では、映像音声データ/シーン情報/全体シーン格納領域ＥＡ１に、使用済み領域ＥＡ１１が存在し、使用済み領域ＥＡ１１の最後に書き込んだ領域情報が区画ＬＷ１に保存されているものとする。この場合、未記録領域の容量は、最終領域情報ＬＡ１から最終書込記憶格納領域ＥＡ０の区画ＬＷ１を減算したものから算出できる。当該記録媒体上の空き容量は、図２の例では、記録媒体上の空き容量ＣＡ９０となる。
【００３４】
図５は図１の制御部１０等をより詳細に説明した図である。図５を用いて、本実施例の撮像装置１のコピー機能に関する主要な各構成及び各構成の働きについて説明する。
【００３５】
データ制御部１０２は、圧縮／伸張処理部７から入力された映像音声信号をメディア制御部１０３若しくはメディア制御部１０４へ出力することができる。また、データ制御部１０２は、メディア制御部１０３若しくはメディア制御部１０４から入力された映像音声データを圧縮／伸張処理部７へ出力することができる。また、データ制御部１０２は、メディア制御部１０３若しくはメディア制御部１０４から入力された映像音声信号を他方のメディア制御部へ出力することができる。なお、データ制御部１０２は映像音声信号を圧縮／伸張しないため、本データ転送により映像音声信号の劣化は生じない。
【００３６】
メディア制御部１０３は、第一記録媒体装着部１１に装着された第一記録媒体を制御することができ、データ制御部１０２から入力された映像音声信号を第一記録媒体に出力することができる。また、メディア制御部１０３は、第一記録媒体から入力された映像音声信号をデータ制御部１０２へ出力することができる。
【００３７】
メディア制御部１０４は、第二記録媒体装着部１２に装着された第二記録媒体を制御することができ、データ制御部１０２から入力された映像音声信号を第二記録媒体に出力することができる。また、メディア制御部１０４は、第二記録媒体から入力された映像音声信号をデータ制御部１０２へ出力することができる。
【００３８】
シーン情報解析手段１０５は、第一記録媒体上の任意のシーンに対応するシーン情報を解析する手段であり、任意のシーンの任意の再生区間が消費する記録媒体消費容量情報をメイン制御部１０１に出力することができる。シーン情報解析手段１０５の動作について、メイン制御部１０１が、映像音声データＳＡ１の０．５秒目から１．０秒目までの記録媒体消費容量をシーン情報解析手段１０５に要求した場合を例に説明する。
【００３９】
シーン情報解析手段１０５が、メディア制御部１０３を経由し、図２の全体シーン管理ＳＣ１を解析し、メイン制御部１０１から指示された特定シーンである保存済み映像音声データＳＡ１のシーン情報ＳＢ１中のインデックステーブルＩＤＴ１を探索する。インデックステーブルＩＤＴ１に含まれるインデックスＩＤ１３から、映像音声データの０．０秒目から１．０秒目までの記録媒体消費容量Ｐ１３と、インデックスＩＤ１２から、映像音声データの０．０秒目から０．５秒目までの記録媒体消費容量Ｐ１２を取得し、Ｐ１３からＰ１２を減算することで、０．５秒目から、１．０秒目までの記録媒体消費容量Ｐ１３１２が取得できる。
【００４０】
残容量管理手段１０６は、第二記録媒体上の空き容量を管理／計算する手段であり、メディア制御部１０４を通じて、第二記録媒体の記録媒体上の空き容量をメイン制御部１０１に通知することができる。図４を用いて、残容量管理手段１０６が第二記録媒体上の空き容量を計算する方法を説明する。残容量管理手段１０６は、最終領域情報ＬＡ１と最終書込記憶格納領域ＥＡ０とを取得する。次に残容量管理手段１０６は、最終領域情報ＬＡ１から最終書込記憶格納領域ＥＡ０の区画ＬＷ１を減算し、第二記録媒体上の空き容量を算出する。
【００４１】
メイン制御部１０１は、データ制御部１０２、メディア制御部１０３、メディア制御部１０４、シーン情報解析手段１０５、残容量管理手段１０６、一時記憶領域１３を制御し、撮像装置１による映像音声の第一記録媒体若しくは第二記録媒体への録画、記録媒体間のコピー等を実現する。また、メイン制御部１０１は、シーン情報解析手段１０５に対してコピーしたいシーンに対応するシーン情報を取得するように指示し、当該結果を受け取ることができる。また、メイン制御部１０１は、残容量管理手段１０６に対して第二記録媒体上の空き容量を取得するように指示し、当該結果を受け取ることができる。また、メイン制御部１０１は、シーン情報解析手段１０５から入力されたシーン情報の記録媒体上の消費容量と、残容量管理手段１０６から入力された記録媒体上の空き容量とを比較し、第一記録媒体に保存されている特定のシーンが、第二記録媒体へコピーすることができるかを判断する。また、メイン制御部１０１は、メディア制御部１０３に対して、シーン情報解析手段１０５で解析した第一記録媒体に記録されている任意のシーンの任意の区画の映像音声データをデータ制御部１０２に出力するように指示することができる。また、メイン制御部１０１は、データ制御部１０２に対してメディア制御部１０３から入力された映像音声データをメディア制御部１０４に転送することができる。また、メイン制御部１０１は、メディア制御部１０４に対してデータ制御部１０２から入力された映像音声データを書き込むように指示することができる。
【００４２】
一時記憶領域１３は、メイン制御部１０１で扱った各種データを保存しておくことが可能な一時記憶領域である。電源がＯＦＦになるか若しくはメイン制御部１０１が意図的に消去しない限り記憶内容は保持される。
【００４３】
具体的なコピー動作について、図６、図７、図８、図９、図１０を用いて説明する。
【００４４】
図６はコピー元記録媒体である第１記録媒体とコピー先記録媒体である第２記録媒体の内部状態を例示したものである。
【００４５】
内部状態１４０は、第１記録媒体の内部状態をしめすものであり、複数のシーンが保存されており、記録媒体上の消費容量Ｃ２および再生時間Ｔ２のシーン情報をもつシーンＰＧ２が存在することをしめす。本実施例では、このシーンＰＧ２を第２記録媒体へコピーするものとする。
【００４６】
内部状態１４１、内部状態１４２、内部状態１４３は、第２記録媒体の内部状態をしめすものであり、３種類を例示する。内部状態１４１は、複数のシーンが保存されており、記録媒体上の空き容量Ｃ８１を持つものとする。内部状態１４２は、複数のシーンが保存されており、記録媒体上の空き容量Ｃ８２を持つものとする。内部状態１４３は、複数のシーンが保存されており、記録媒体上の空き容量Ｃ８３を持つものとする。
【００４７】
図７は撮像装置１が記録媒体間でコピーを行う際の撮像装置１の動作を表すフローチャートである。図６における、第１記録媒体のシーンＰＧ２を第２記録媒体の内部状態１４１、内部状態１４２、内部状態１４３へコピーする様子を説明する。
【００４８】
処理Ｆ１において、ユーザーインターフェース部９よりシーンＰＧ２のコピー指示を受けたメイン制御部１０１は、シーン情報解析手段１０５を使用して、コピー元記録媒体に記録されたコピーしようとするシーンであるシーンＰＧ２の記録媒体上の消費容量Ｃ２と、再生時間Ｔ２を取得する。さらに、メイン制御部１０１は、残容量管理手段１０６を使用して、コピー先記録媒体である第２記録媒体の記録媒体上の空き容量を取得する。
【００４９】
判断Ｆ２において、メイン制御部１０１は、コピー元記録媒体に記録されたコピーしようとするシーンを全てコピー先記録媒体へコピーできるかを判断する。具体的には、処理Ｆ１で取得したコピーしようとするシーンＰＧ２の記録媒体上の消費容量Ｃ２が第２記録媒体の記録媒体上の空き容量以下の場合には、メイン制御部１０１はシーンＰＧ２の全てを第２記録媒体へコピー可能であると判断する。一方、処理Ｆ１で取得したコピーしようとするシーンＰＧ２の記録媒体上の消費容量Ｃ２が第２記録媒体の記録媒体上の空き容量以上の場合には、メイン制御部１０１はシーンＰＧ２の全てを第２記録媒体へコピーすることは不可能であると判断する。コピー可能と判断した場合には、処理は、処理Ｆ３へ進み、不可能と判断した場合には、処理は、判断Ｆ４へ進む。
【００５０】
ここで、第２記録媒体の内部状態が内部状態１４１の場合には、図８の判断例Ｒ１０１のとおり、Ｃ２が第２記録媒体の空き容量Ｃ８１より小さいため、シーンＰＧ２の全てを第２記録媒体へコピー可能であると判断する。第２記録媒体の内部状態が内部状態１４２の場合には、図８の判断例Ｒ１０２のとおり、Ｃ２が第２記録媒体の空き容量Ｃ８２より大きいため、シーンＰＧ２の全てを第２記録媒体へコピーすることは不可能であると判断する。第２記録媒体の内部状態が内部状態１４３の場合には、図８の判断例Ｒ１０３のとおり、Ｃ２が第２記録媒体の空き容量Ｃ８３より大きいため、コピー不可能であると判断する。
【００５１】
処理Ｆ３において、メイン制御部１０１は、シーンＰＧ２を第２記録媒体へコピーするようにメディア制御部１０３、メディア制御部１０４、データ制御部１０２へ指示し、メディア制御部１０３から出力された映像音声データを、データ制御部１０２を通してメディア制御部１０４へ出力し、コピーを実行する。処理Ｆ３を実行した後は、コピー処理シーケンスを終了する。
【００５２】
判断Ｆ４において、メイン制御部１０１は、シーンＰＧ２の再生時間Ｔ２が第２所定時間以下の場合には、当該シーンＰＧ２を第２記録媒体へはコピーしないと判断する。一方、シーンＰＧ２の再生時間Ｔ２が第２所定時間より大きいの場合には、当該シーンＰＧ２を第２記録媒体へはコピーしないと判断しない。例えば、処理Ｆ１で取得したシーンＰＧ２の再生時間Ｔ２が、所定時間Ｔ９９(Ｔ９９の詳細は後述)の２倍の値（例えば当該２倍の値を第２所定時間として採用する）以下の場合には、メイン制御部１０１は、当該シーンＰＧ２を第２記録媒体へはコピーしないと判断し、処理Ｆ１１へ進む。処理Ｆ１で取得したシーンＰＧ２の再生時間Ｔ２が、所定時間Ｔ９９の２倍の値より大きいの場合には、メイン制御部１０１は、当該シーンＰＧ２を第２記録媒体へはコピーしないとは判断せず、処理Ｆ５へ進む。このような判断をすることにより、コピーしようとするシーンを分割し、第２記録媒体と第３記録媒体とにまたがってコピーした際に、第３記録媒体に非常に短い再生時間分の中途半端なデータがコピーされるということを防止することができる。
【００５３】
処理Ｆ５において、メイン制御部１０１は、処理Ｆ１で取得した第２記録媒体上の空き容量をすべて使用した場合のシーンＰＧ２の先頭からのコピー可能時間をシーン情報解析手段１６を使用して取得する。具体的には、シーンＰＧ２のシーン情報中のインデックステーブルを参照し、第２記録媒体の空き容量に入りきる範囲におけるインデックスを参照し、そこに格納されている時間情報を得ることにより、シーンＰＧ２の先頭からのコピー可能時間を取得する。
【００５４】
ここで、第２記録媒体の内部状態が内部状態１４２の場合には、図９の判断例Ｒ１２２のとおり、第２記録媒体の空き容量であるＣ８２をすべて使用した場合に、シーンＰＧ２は先頭から再生時間Ｔ２２だけコピーすることが可能である。同様に、第２記録媒体の内部状態が内部状態１４３の場合には、図９の判断例Ｒ１２３のとおり、第２記録媒体の空き容量であるＣ８３をすべて使用した場合に、シーンＰＧ２は先頭から再生時間Ｔ２３だけコピーすることが可能である。
【００５５】
判断Ｆ６において、メイン制御部１０１は、コピーしようとするシーンの第２記録媒体へのコピー可能時間が所定時間以下の場合には、コピーしようとするシーンの全てを第２記録媒体へはコピーしないという判断をする。具体的には、メイン制御部１０１が、処理Ｆ５で取得したシーンＰＧ２の先頭からのコピー可能時間が、所定時間Ｔ９９以下であるかを判断する。この所定時間Ｔ９９は、例えば１０秒等であるとする。この時間は、当該時間分の一部のシーンだけが分割されて任意の記録媒体に記録されていたとすると、ユーザーが中途半端であると感じる時間等を採用することができる。当該所定の時間Ｔ９９は、予め決定しておき、プログラムに組み込んでおいてもよいし、ユーザーが任意の値を設定できるような構成としてもよい。判断の結果、処理Ｆ５で取得したシーンＰＧ２の先頭からのコピー可能時間が、所定時間Ｔ９９以下の場合には、メイン制御部１０１は、コピーしようとするシーンの全てを第２記録媒体へはコピーしないと判断し、処理Ｆ１１へ進む。処理Ｆ５で取得したシーンＰＧ２の先頭からのコピー可能時間が、所定時間Ｔ９９以上の場合には、メイン制御部１０１は、コピーしようとするシーンの一部を第２記録媒体へコピーすると判断し、判断Ｆ７へ進む。このように判断することにより、コピーしようとするシーンを分割し、第２記録媒体と第３記録媒体とにまたがってコピーした際に、第２記録媒体に非常に短い再生時間分の中途半端なデータがコピーされるということを防止することができる。
【００５６】
ここで、第２記録媒体の内部状態が内部状態１４２の場合には、図９の判断例Ｒ１２２のとおり、コピー可能時間Ｔ２２が所定時間Ｔ９９以上であることから、第２記録媒体へのコピー可能時間の全部又は一部の分割されたコピーを実施すると判断する。一方、第２記録媒体の内部状態１４３の場合には、図９の判断例Ｒ１２３のとおり、コピー可能時間Ｔ２２が所定時間Ｔ９９未満であることから、第２記録媒体へはコピーしないと判断する。
【００５７】
判断Ｆ７において、処理Ｆ５で取得/計算したコピー可能時間分を、そのまま、第２記録媒体へコピーした場合、第３記録媒体の先頭で、所定時間Ｔ９９以下のシーンが生成される可能性があるという問題を回避するために、第３記録媒体の先頭シーンになりうる時間と、所定時間Ｔ９９を比較する。具体的には、制御部１０１が、シーンＰＧ２の再生時間Ｔ２からコピー可能時間を減算した時間が、所定時間Ｔ９９以下の場合、コピー可能時間の補正が必要と判断し処理Ｆ８へ進む。補正が不要と判断した場合は、処理Ｆ９へ進む。
【００５８】
処理Ｆ８では、判断Ｆ７の判断結果に従い、コピー可能時間を補正し、コピー指定時間を計算する。例えば、制御部１０１が処理Ｆ５で取得/計算したコピー可能時間を破棄し、コピー元シーンＰＧ２の再生時間Ｔ２から、所定時間Ｔ９９を減算したものをコピー指定時間とする。
【００５９】
処理Ｆ９では、判断Ｆ７の判断結果に従い、コピー可能時間をそのまま、コピー指定時間とする。
【００６０】
処理Ｆ１０では、メイン制御部１０１が、シーンＰＧ２のうち、処理Ｆ８もしくは処理Ｆ９で決定したコピー指定時間分を、第２記録媒体へコピーするようにメディア制御部１０３、メディア制御部１０４、データ制御部１０２へ指示する。
【００６１】
処理Ｆ１１では、メイン制御部１０１によって、第２記録媒体１４へはこれ以上、シーンのコピーを実施しないと判断される。
【００６２】
処理Ｆ１０もしくは、処理Ｆ１１を実行した後は、処理Ｆ１２へ進む。処理Ｆ１２では、制御部１０は、どの部分までコピーが進行したかを示す情報を、一時記憶領域１３に保存する。さらに、第２記録媒体を、次のメディアである、第３記録媒体へ交換するように、メイン制御部１０１が、表示出力部８をとおしてユーザーへ要求する。
【００６３】
第３記録媒体がセットされたことを検知したメイン制御部１０１は、再び処理Ｆ１からコピー処理を継続する。この際、シーンＰＧ２は、第２記録媒体へコピーした続きから構成され、メイン制御部１０１が一時記憶領域１３に保存されていた情報を使用する。
【００６４】
コピーの終了要因が発生するまで、上述した動作と同等の処理が繰り返される。
【００６５】
コピーが終了した際の様子を、図１０に示す。
【００６６】
ダビング開始前の第２記録媒体の内部状態１４１は、コピー終了時には、第２記録媒体の内部状態１５１となっている。ダビング開始前の第２記録媒体の内部状態１４２は、コピー終了時には、第２記録媒体および、第３記録媒体の内部状態１５２となっている。ダビング開始前の第２記録媒体の内部状態１４３は、コピー終了時には、第２記録媒体および、第３記録媒体の内部状態１５３となっている。なお、本実施の形態では、複数の記録媒体が同一機器に内蔵されていることを前提に記述したが、第１記録媒体と第２記録媒体は同一機器内に存在しなくても実現可能である。例えば、一方の記録媒体は撮像装置１内に存在するが、もう一方の記録媒体は外付けのＤＶＤプレイヤーに内蔵されており、当該ＤＶＤプレイヤーが撮像装置１に接続されているような構成であっても実現可能である。
【００６７】
この構成により、大容量の記録媒体等から複数の小容量の記録媒体等への映像データのコピー等を行う際に、映像データのシーンの中途半端な部分での映像データの分割を防止することができる電子機器を提供することができる。
【産業上の利用可能性】
【００６８】
本発明は、大容量の記録媒体等から複数の小容量の記録媒体等への映像データのコピー等を行う際に、映像データのシーンの中途半端な部分での映像データの分割を防止することができるため、コピー機能を有する電子機器等に有用である。
【図面の簡単な説明】
【００６９】
【図１】本発明の実施例１の撮像装置の構成を表すブロック図
【図２】第一記録媒体上の映像音声データの管理状態を説明する図
【図３】映像音声データとインデックステーブルとの関係を説明する図
【図４】第二記録媒体上の残量管理手法を説明する図
【図５】実施例１のコピーに関する構成についてのブロック図
【図６】コピー前記録媒体の内部状態の具体例を表す図
【図７】メイン制御部１０１の制御のフローチャート
【図８】判断Ｆ２の具体例を表す図
【図９】判断Ｆ６の具体例を表す図
【図１０】コピー終了時の記録媒体の内部状態の具体例を表す図
【符号の説明】
【００７０】
９  ユーザーインターフェース部
１０  制御部
１０１  メイン制御部
１０２  データ制御部
１０３  メディア制御部
１０４  メディア制御部
１０５  シーン情報解析手段
１０６  残容量管理手段
【図１】
0004992594.tif 000002
【図２】
0004992594.tif 000003
【図３】
0004992594.tif 000004
【図４】
0004992594.tif 000005
【図５】
0004992594.tif 000006
【図６】
0004992594.tif 000007
【図７】
0004992594.tif 000008
【図８】
0004992594.tif 000009
【図９】
0004992594.tif 000010
【図１０】
0004992594.tif 000011